(57)【要約】【課題】１台の装置で異なる掘削径に対応できるように拡径掘削可能なもので、装置製作のコストを低減できる掘削土砂圧密形オーガを提供する。【解決手段】オーガロッドまたはオーガヘッドのロッド３の外周に該ロッド３の外周からスクリュー羽根１の外縁位置まで外方に張り出す湾曲押圧面を側面とした円弧形状のコテ部としての圧密翼５を設ける掘削土砂圧密形オーガ１８において、圧密翼５はロッド３に設けるスクリュー羽根１と並ぶように組合わせ、側面の湾曲押圧面はロッド周面からスクリュー羽根１の外縁位置まで外方に張り出すもので、圧密翼５にスペーサー１７による拡径調整用部材を設け、また、スクリュー羽根１に小羽根２０による拡径調整用部材を突設した。【選択図】  図１
2018066199.tif 000002
【特許請求の範囲】
【請求項１】
オーガロッドまたはオーガヘッドのロッドの外周に該ロッドの外周からスクリュー羽根外縁位置まで外方に張り出す湾曲押圧面を側面とした円弧形状のコテ部としての圧密翼を設ける掘削土砂圧密形オーガにおいて、圧密翼はロッドに設けるスクリュー羽根と並ぶように組合わせ、側面の湾曲押圧面はロッド周面からスクリュー羽根の外縁位置まで外方に張り出すもので、圧密翼にスペーサーによる拡径調整用部材を設け、また、スクリュー羽根に小羽根による拡径調整用部材を突設したことを特徴とする掘削土砂圧密形オーガ。
【請求項２】
圧密翼に設ける拡径調整用部材は、ロッドに形成する台座と圧密翼本体部との間に介在させる板状スペーサーである請求項１記載の掘削土砂圧密形オーガ。
【請求項３】
圧密翼の径を拡径するは固定部の割合が５０％以下とし、変化する部分を５０％以上とする請求項１記載の掘削土砂圧密形オーガ。
【請求項４】
スクリュー羽根に設ける拡径調整用部材は、スクリュー羽根の外縁からスクリュー羽根の延設として突出する小羽根であり、適宜間隔でスクリュー羽根に設ける請求項１ないし請求項３記載の掘削土砂圧密形オーガ。
【請求項５】
スクリュー羽根に設ける拡径調整用部材は、スクリュー羽根に凹状ホルダーを形成し、このホルダーに小羽根根元部を嵌合しかつボルト止めしてなる請求項４記載の掘削土砂圧密形オーガ。
【発明の詳細な説明】
【技術分野】
【０００１】
本発明は、一般ゴミ、産業廃棄物、焼却灰、一般土等を効率よく孔壁に填圧させることができる掘削土砂圧密形オーガに関するものである。
【背景技術】
【０００２】
掘削した土砂のすべてを地上に排出するのではなく、その一部または大部分を孔壁に圧密すれば土砂排出の手間が省けるばかりでなく、孔壁の崩壊も防止でき、また、掘削時の摩擦抵抗も減少するので大深度の掘削が可能となり、かつ、地盤中に玉石や転石があっても掘削に必要な刃先部の面圧を随時に意識調整しながら連続した掘削が可能となる。
【０００３】
また、これをすでに満杯となりつつある廃棄物処分場で行った場合には廃棄物処分場にすでに捨てられたゴミ等を地上に出すことなく孔を造成でき、造成した孔に新たに充填するゴミ（もしくはゴミと土砂）はこれも孔壁に圧密され、かつ孔底に順次填圧されるので、限られた縦穴スペースに大容量のものを埋めることができる。
【０００４】
下記特許文献は発明者が先に出願し、掘削土砂圧密形オーガとして特許を取得したもので、図１２に示すように、掘削土砂圧密形オーガ１８は通常のオーガと同じく、ロッド３とその先端のオーガヘッド１２とからなり、ロッド３は重機のリーダーマストのトップシーブから昇降自在に吊り下がる駆動装置２に結合して正逆回転自在に垂下する。
【特許文献１】特許第３０６００４５号公報
【特許文献２】特許第５９７６７２３号公報
【０００５】
前記ロッド３は通常のアースオーガ等と同じくピース物として継ぎ足し可能であり、オーガヘッド１２を下端に接続する第１ロッド３ａ、その上に接続する第２ロッド３ｂ、さらにその上に接続する第３ロッド３ｃの組合せである。なお、ピースの数はこれに限定されるものではない。
【０００６】
前記第３ロッド３ｃはスクリュー羽根１だけを設けた通常のロッドであり、オーガヘッド１２を下端に接続する第１ロッド３ａ、その上に接続する第２ロッド３ｂは掘削土砂圧密形オーガの特徴としてロッドの外周に外方に張り出す湾曲押圧面４を側面とした厚肉フランジ状のコテ部による圧密翼５を螺旋状に上昇するように設けた。
【０００７】
圧密翼５はロッド３の外周からの左右両端の突出側面が必ず円弧形状である。図示の例では圧密翼５は湾曲押圧面４が全体で円弧状になるように形成した。図中１１は孔壁である。なお、この圧密翼５は中空のドラムタイプのものでよい圧密翼５はオーガロッド３の外周からの左右両端の突出側面が必ず円弧形状で、湾曲押圧面４が全体で円弧状になるように形成した。
【０００８】
また、圧密翼５はロッド３に設けるスクリュー羽根１と並ぶように組合わせ、側面の湾曲押圧面４はロッド３の周面からスクリュー羽根１の外縁位置まで外方に張り出すようにした。１．５〜２．０ピッチの旋回をもってこの圧密翼５を設けた。
【０００９】
スクリュー羽根１によって搬送される土砂はロッド３の正転にともなう圧密翼５の旋回による揚上作用によって上方に移送されるが、この移送の際に圧密翼５の湾曲押圧面４で外側に押し出され、孔壁に圧密される。
【００１０】
また、ロッド３を逆転させる場合にはこの圧密翼５が土砂の下降作用を行うことになるが、その場合でも移送の際に圧密翼５の湾曲押圧面４で外側に正転と逆転を適宜組み合わせることで孔壁への圧密を効果的に行い、地上への排土量を減じ、または無くすことができる。
【００１１】
さらに、前記特許文献２では圧密翼５は外周部先端を分割体５ａとし、これをコテ部本体５ｂに対してボルト、ピンもしくは溶接で交換可能に結合した。
【００１２】
これにより、圧密翼５の特に磨耗し易い外周部先端のみを交換できるので、経済的な補修が得られる。また、地中の詰まり具合によってはセットされた内の数枚のコテ部外周を外して、抵抗に対する調整も可能となる。
【発明の概要】
【発明が解決しようとする課題】
【００１３】
前記特許文献１や特許文献２の掘削土砂圧密形オーガは１つの掘削径しか選択できないもので、掘削径が異なる場合はその径毎に各々製作しなければならず、コスト高となっていた。
【００１４】
なお、特許文献２では圧密翼５は外周部先端を分割体５ａとし、これをコテ部本体５ｂに対してボルト、ピンもしくは溶接で交換可能としているが、これは磨耗した時の交換としての構成であり、１台で異なる掘削径に対応できるものではない。
【００１５】
本発明の目的は前記従来例の不都合を解消し、１台の装置で異なる掘削径に対応できるように拡径掘削可能なもので、装置製作のコストを低減できる掘削土砂圧密形オーガを提供することにある。
【課題を解決するための手段】
【００１６】
前記目的を達成するため請求項１記載の本発明は、オーガロッドまたはオーガヘッドのロッドの外周に該ロッドの外周からスクリュー羽根外縁位置まで外方に張り出す湾曲押圧面を側面とした円弧形状のコテ部としての圧密翼を設ける掘削土砂圧密形オーガにおいて、圧密翼はロッドに設けるスクリュー羽根と並ぶように組合わせ、側面の湾曲押圧面はロッド周面からスクリュー羽根の外縁位置まで外方に張り出すもので、圧密翼にスペーサーによる拡径調整用部材を設け、また、スクリュー羽根に小羽根による拡径調整用部材を突設したことを要旨とするものである。
【００１７】
請求項１記載の本発明によれば、圧密翼とスクリュー羽根とに拡径調整用部材を設けることで、例えば掘削径を通常のものから＋６００程度拡径したものとすることができる。
【００１８】
また、圧密翼とスクリュー羽根とのいずれか１方のみでなく、双方に設けることで、スクリュー羽根によって搬送される土砂はロッドの正転にともなう圧密翼５の旋回による揚上作用によって上方に移送され、この移送の際に圧密翼の湾曲押圧面で外側に押し出され、孔壁に圧密されるという協働を阻害することはない。
【００１９】
請求項２記載の本発明は、圧密翼に設ける拡径調整用部材は、ロッドに形成する台座と圧密翼本体部との間に介在させる板状スペーサーであることを要旨とするものである。
【００２０】
請求項２記載の本発明によれば、圧密翼の作用を阻害しないで簡単かつ確実に拡径調整できるスペーサーとして台座と圧密翼本体部との間に介在させる板状スペーサーを選択するもので、この板状スペーサーは厚さの異なるものを数種準備することで、数段階の拡径が可能となる。
【００２１】
請求項３記載の本発明は、圧密翼の径を拡径するは固定部の割合が５０％以下とし、変化する部分を５０％以上とすることを要旨とするものである。
【００２２】
請求項３記載の本発明によれば、圧密翼の径を大きく変化させるには固定部の割合が５０％以下とし、変化する部分を５０％以上とすることにより、なだらかな土の移動が可能となり、効率の良い圧密翼となる。
【００２３】
請求項４記載の本発明は、スクリュー羽根に設ける拡径調整用部材は、スクリュー羽根の外縁からスクリュー羽根の延設として突出する小羽根であり、適宜間隔でスクリュー羽根に設けることを要旨とするものである。
【００２４】
請求項４記載の本発明によれば、拡径調整用部材としての小羽根はスクリュー羽根の外縁からスクリュー羽根の延設として突出するので、スクリュー羽根の土砂搬送作用を損なうことなく、拡径掘削が可能である。また、小羽根相互の間隔から漏れる土は圧密翼で圧密されるので支障はない。
【００２５】
請求項５記載の本発明は、スクリュー羽根に設ける拡径調整用部材は、スクリュー羽根に凹状ホルダーを形成し、このホルダーに小羽根根元部を嵌合しかつボルト止めしてなることを要旨とするものである。
【００２６】
請求項５記載の本発明によれば、スクリュー羽根に設ける拡径調整用部材としての小羽根は取替え可能なものであり、大きさを選択することで数段階の拡径に簡単に対応できる。
【発明の効果】
【００２７】
以上述べたように本発明の掘削土砂圧密形オーガは、１台の装置で異なる掘削径に対応できるように拡径掘削可能なもので、装置製作のコストを低減できるものである。
【発明を実施するための形態】
【００２８】
以下、図面について本発明の実施の形態を詳細に説明する。図１は本発明の掘削土砂圧密形オーガの１実施例を示す正面図で、図１２と同一構成要素には同一参照符号を付したものである。
【００２９】
図中３は土砂圧密形オーガ１８のオーガロッドであるが、図１２に示すように土砂圧密形オーガ１８はロッド３とその先端のオーガヘッド１２とからなり、ロッド３は重機のリーダーマストのトップシーブから昇降自在に吊り下がる駆動装置２に結合して正逆回転自在に垂下するものである。
【００３０】
ロッド３は通常のアースオーガ等と同じくピース物として継ぎ足し可能であり、オーガヘッド１２を下端に接続する第１ロッド３ａ、その上に接続する第２ロッド３ｂ、さらにその上に接続する第３ロッド３ｃの組合せである。なお、ピースの数はこれに限定されるものではない。
【００３１】
前記第３ロッド３ｃはスクリュー羽根１だけを設けた通常のロッドであり、オーガヘッド１２を下端に接続する第１ロッド３ａ、その上に接続する第２ロッド３ｂはロッドの外周に外方に張り出す湾曲押圧面４を側面とした厚肉フランジ状のコテ部による圧密翼５を螺旋状に上昇するように設けた。
【００３２】
圧密翼５はロッド３に設けるスクリュー羽根１と並ぶように組合わせ、側面の湾曲押圧面４はロッド３の周面からスクリュー羽根１の外縁位置まで外方に張り出す。
【００３３】
図示の例ではスクリュー羽根１が１ピッチ旋回したところでコテ部としての圧密翼５を設けるようにしたが、１．５〜２．０ピッチの旋回をもってこの圧密翼５を設けるようにしてもよい。
【００３４】
圧密翼５は、図７に示すようにロッド３の外周に横向き腰掛け状の台座１４を取付け、図８に示すようにこの台座１４の平坦面に円弧形状のコテ部本体５ｃの平坦底面を接合して、台座１４の平坦面から突設するピン１５と４隅近辺に穿設するボルト孔に挿通するボルト１６とで固定して構成する。
【００３５】
そして拡径調整用部材として図１０に示す板状スペーサー１７を台座１４と圧密翼本体部との間に介在させた。
【００３６】
板状スペーサー１７は鋼製で、台座１４の平坦面と同じ形状の輪郭を有し、中央に矩形の孔が、４隅近辺ボルト孔がある。
【００３７】
この板状スペーサー１７は、厚さの異なるものを数種（ｔ２５、ｔ５０、ｔ１００相当）準備する。
【００３８】
このようにして、圧密翼５は板状スペーサー１７を介在させることで、高さが可変となり、拡径掘削に対応できるものとなる。
【００３９】
なお、圧密翼５の径を拡径するは固定部（台座１４）の割合が５０％以下とし、変化する部分（板状スペーサー１７およびコテ部本体５ｃ）を５０％以上とするのが好ましい。
【００４０】
また、図１１に示すようにスクリュー羽根１には拡径調整用部材としての小羽根２０をスクリュー羽根１の外縁から延設として突出させる。
【００４１】
スクリュー羽根１は一部を切欠いてここに凹状ホルダー１９を１２０°間隔で等間隔に取付け、前記小羽根２０はこのホルダー１９に根元部２０ａを嵌合しかつボルト２１でボルト止めしてなる。
【００４２】
根元部２０ａを有する小羽根２０は扇形であり、スクリュー羽根１の上面と上面位置を合致させ、スクリュー羽根１の面上には出っ張らないようにする。
【００４３】
小羽根２０は根元部２０ａを除いて大きさの異なるものを複数種用意し、ボルト２１でスクリュー羽根１に着脱する。
【００４４】
図４〜図６はロッドの先端に結合するオーガヘッド１２であり、これも同じくロッド（回転軸）３に設けたスクリュー羽根１と並ぶようして圧密翼５がスクリュー羽根１の外縁位置まで外方に張り出すもので、圧密翼５にスペーサー１７による拡径調整用部材を設け、また、スクリュー羽根１に小羽根２０による拡径調整用部材を突設した。
【００４５】
なお、オーガヘッド１２はこのように拡径する場合の他、このような拡径調整用部材を設けない場合もある。
【００４６】
このようにして、本発明の土砂圧密形オーガ１８は圧密翼５にスペーサー１７による拡径調整用部材を設け、また、スクリュー羽根１に小羽根２０による拡径調整用部材を突設したので、通常の掘削径Ｄよりも＋６００程拡径が可能となる。
【００４７】
そして、これらスペーサー１７や小羽根２０の大きさの異なるものの選択で、１本のオーガで５０ｍｍ単位、１１種の構成が可能となる。
【図面の簡単な説明】
【００４８】
【図１】本発明の掘削土砂圧密形オーガの１実施例を示す正面図である。
【図２】本発明の掘削土砂圧密形オーガの圧密翼の説明図である。
【図３】本発明の掘削土砂圧密形オーガのスクリュー羽根の説明図である。
【図４】本発明の掘削土砂圧密形オーガのオーガヘッドの正面図である。
【図５】本発明の掘削土砂圧密形オーガのオーガヘッドの平面図である。
【図６】本発明の掘削土砂圧密形オーガのオーガヘッドの底面図である。
【図７】本発明の掘削土砂圧密形オーガのロッドの台座を示す斜視図である。
【図８】本発明の掘削土砂圧密形オーガの圧密翼の拡径前の説明図である。
【図９】本発明の掘削土砂圧密形オーガの圧密翼の拡径後の斜視図である。
【図１０】使用するスペーサーの斜視図である。
【図１１】本発明の掘削土砂圧密形オーガのスクリュー羽根の説明図である。
【図１２】従来例を示す正面である。
【符号の説明】
【００４９】
１…スクリュー羽根
２…駆動装置
３…ロッド
３ａ…第１ロッド
３ｂ…第２ロッド
３ｃ…第３ロッド
４…湾曲押圧面
５…コテ部
５ａ…分割体
５ｂ…本体
１１…孔壁
１２…オーガヘッド
１４…台座
１５…ピン
１６…ボルト
１７…スペーサー
１８…掘削土砂圧密形オーガ
１９…ホルダー
２０…小羽根
２０ａ…根元部
２１…ボルト
【図１】
2018066199.tif 000003
【図２】
2018066199.tif 000004
【図３】
2018066199.tif 000005
【図４】
2018066199.tif 000006
【図５】
2018066199.tif 000007
【図６】
2018066199.tif 000008
【図７】
2018066199.tif 000009
【図８】
2018066199.tif 000010
【図９】
2018066199.tif 000011
【図１０】
2018066199.tif 000012
【図１１】
2018066199.tif 000013
【図１２】
2018066199.tif 000014